(57)【特許請求の範囲】
【請求項１】
衣類着せ掛け用の人型本体（３）に、該人型本体の上部位置にあって整形すべき衣類（Ａ）の肩部（Ｃ）を掛ける肩掛材（４）と、人型本体（３）の上部寄り左右各側部からそれぞれ人型本体の内外に出没可能に設置され且つ外方突出時に人型本体（３）に着せ掛けた衣類（Ａ）の各袖（Ｂ，Ｂ）を水平に広げた状態で支持できる左右の各腕部材（６，６）と、該各腕部材（６，６）を人型本体の内外に出没させる腕部材出し入れ装置（７）とをそれぞれ設けて人型（２）を構成し、該人型（２）を衣類着せ掛け位置となる下動位置と衣類移送装置（１１）側への衣類受け渡し位置となる上動位置との間で昇降せしめる人型昇降装置（８）を備えた衣類整形供給装置であって、
前記肩掛材（４）は肩掛材昇降装置（５）により前記人型本体（３）に対して所定高さ範囲内で上下動可能とされているとともに、
前記肩掛材昇降装置（５）は前記腕部材出し入れ装置（７）による前記各腕部材（６，６）の外方突出前に前記肩掛材（４）をその現在高さから所定高さだけ上動させることができ且つ前記各腕部材（６，６）の外方突出後に前記肩掛材（４）をその上動前の高さまで下動させるように構成されている、
ことを特徴とする衣類整形供給装置。
【発明の詳細な説明】
【０００１】
【発明の属する技術分野】
本願発明は、例えばクリーニング工場において、洗濯後（脱水後）の浴衣や寝巻などの衣類を整形した状態で後工程（例えばプレス工程）へ供給し得るようにした衣類整形供給装置に関し、特に衣類肩部の背中側の位置に裏当て材を取付けた衣類を整形・供給するのに適したものである。
【０００２】
【従来の技術】
クリーニング工場において浴衣や寝巻などの衣類は、洗濯後（脱水後）にプレス機にかけて成形するが、プレス機側へは該衣類をきれいに整形した状態で送り込む必要がある。尚、洗濯後、乾燥済みの衣類では、プレス機にかけないで直接折畳み機側に送込むこともあるが、その場合でも、衣類はきれいに整形させておく必要がある。
【０００３】
洗濯後の衣類をきれいに整形するための衣類整形供給装置として、従来から図７〜図９に示すようなものが知られている（特公平１−６１０７９号公報）。この公知の衣類整形供給装置は、整形すべき衣類Ａを着せ掛け得る人型２を、昇降装置（エアシリンダ）８により衣類着せ掛け位置となる下動位置と人型２に着せ掛けた衣類Ａをプレス機側へ移送する移送装置１１側に受け渡す上動位置との間で昇降せしめ得るようになっている。
【０００４】
人型２は、衣類着せ掛け用の人型本体３に、該人型本体の上部寄り左右各側部からそれぞれ人型本体の内外に出没可能に設置された左右の各腕部材６，６と、該各腕部材６，６を出没操作する腕部材出し入れ装置７，７とを設けて構成されている。人型本体３の上部位置には、衣類Ａの肩部Ｃを掛けるための肩掛材４が取付けられている。腕部材出し入れ装置７にはエアシリンダが使用されている。そして、該各エアシリンダ７，７の縮小状態では、図７に示すように各腕部材６，６が人型本体３内に没入して、人型２に衣類Ａを着せ掛けるのに邪魔にならないようする一方、該各エアシリンダ７，７が伸長すると、図９に示すように各腕部材６，６が肩掛材４と同高さにおいて水平姿勢状態で人型本体３から突出するようになっている。尚、各腕部材６，６の出没時において、腕部材６の先端部６２は、図９において符号Ｅで示す一点鎖線上を移動するようになる。
【０００５】
人型昇降装置８にはエアシリンダが使用されているが、このエアシリンダ８は、伸長動作を２段階に分けて行うようになっている。即ち、該エアシリンダ８の最縮小状態では人型２が図７に示す最下動位置あり、該エアシリンダ８が第１段伸長すると人型２を図９に示す中間高さまで上昇させ、さらに該エアシリンダ８が第２段伸長すると人型２を図９の鎖線図示する最上動位置（符号２′の位置）まで上昇させるようになっている。
【０００６】
又、この衣類整形供給装置の上方には、人型２に掛けられた衣類Ａを整形状態で保持する衣類保持装置１２が設置されている。この衣類保持装置１２は、図８に示すように、送りベルト１３の始端部１３ａに対して押えベルト１４をエアシリンダ１５で近接・離間方向に揺動させ得るようになっている。そして、エアシリンダ１５が縮小状態では、図８に実線図示するように揺腕１６に取付けられている押えベルト１４が送りベルト１３の始端部１３ａから離間していて、該押えベルト１４と送りベルト始端部１３ａとの間の空所１７に人型２′に着せ掛けている衣類Ａ′の上部（符号Ｃ′）を差込み得るようになっており、又衣類Ａの上部を空所１７内に差込んだ状態でエアシリンダ１５を伸長させると、揺腕１６を介して押えベルト１４が符号１４′で示すように送りベルト始端部１３ａに近接し、両ベルト１３ａ，１４′で衣類Ａ′の上端部Ｃ′を表裏両側から挟持するようになっている。又、送りベルト１３と押えベルト１４は、後述するタイミングでそれぞれ同時に間欠駆動するようになっている。
【０００７】
図７〜図９に示す公知の衣類整形供給装置は、次のようにして使用される。尚、この衣類整形供給装置は、足踏みスイッチで順次以下の動作を作動させる。まず、図７に示すように人型２を最下動位置に降ろした状態で該人型２に衣類Ａを着せ掛け、次に人型昇降装置（エアシリンダ）８を第１段伸長させるとともに各腕部材出し入れ装置（エアシリンダ）７，７を伸長させて各腕部材６，６を水平姿勢状態で外方に張り出させる（図９の実線図示状態）。すると、該各腕部材６，６によって衣類Ａの各袖Ｂ，Ｂが展張状態で支持される。そして、この中間高さ位置において手作業により衣類Ａの形をきれいに整える。続いて、人型昇降装置（エアシリンダ）８を第２段伸長させると、人型２が符号２′で示す最上動位置まで上昇し、図８に示すように該人型２′に着せ掛けている衣類Ａ′の上端部Ｃ′が空所１７内に差込まれる。尚、このとき、送りベルト１３及び押えベルト１４の駆動は停止している。その後、衣類保持装置１２のエアシリンダ１５を伸長させて押えベルト１４′と送りベルト１３の始端部１３ａ間で衣類上端部Ｃ′を挟持し→該両ベルト１３，１４を若干量（例えば３０〜５０mm程度）だけ駆動させて衣類Ａ′を人型２′から浮かせた後に該両ベルト１３，１４を停止させ→各腕部材出し入れ装置（エアシリンダ）７，７を縮小させて各腕部材６，６を人型本体３内に没入させ→人型昇降装置（エアシリンダ）８を縮小させて人型２を降下させ→衣類移送装置１１（送りベルト１３と押えベルト１４）を駆動させて衣類Ａ′をきれいに整形したままの状態でプレス機側に移送させる。
【０００８】
このように、この衣類整形供給装置を使用すれば、浴衣のような衣類Ａを簡単に且つきれいに整形した状態でプレス機側に供給できる。
【０００９】
ところで、浴衣のような衣類Ａの中には、図１０及び図１１に示すように衣類肩部Ｃの背中側の位置に裏当て材Ｄを取付けたものがある。この裏当て材Ｄは、左右長さが６００mm程度で高さが１００mm程度の大きさを有している。又、この裏当て材Ｄは、下辺部Ｄａを開放した状態で、左右の各側辺部Ｄｂ，Ｄｂと上辺部Ｄｃの一部の範囲をそれぞれミシン縫いしている。従って、この裏当て材Ｄと衣類Ａの背中側の生地との間には、下辺部Ｄａが開放した空所Ｄｅ（図１１）が形成されている。
【００１０】
【発明が解決しようとする課題】
ところが、上記のような裏当て材Ｄつきの衣類Ａを図７〜図９に示す公知の衣類整形供給装置で整形しようとすると、次のような問題が発生する。即ち、該衣類Ａを人型２に着せ掛けした状態で両腕部材６，６を外方に突出させると、該各腕部材６の先端部６２がそれぞれ符号Ｅ，Ｅで示すように移動するが、このとき図１０に示すように腕部材先端部６２が裏当て材Ｄの下辺側開放部分から空所Ｄｅ（図１１）内に侵入し、該腕部材先端部６２で衣類Ａの生地を突き破るというトラブルが発生する。このように、公知の衣類整形供給装置では、図１０及び図１１に示すような裏当て材Ｄつきの衣類Ａを処理することができない。従って、従来では、裏当て材つき衣類Ａは手作業によって直接移送コンベアの始端部上で整形させているのが現状であり、その整形作業がしにくいとともに作業能率が悪いという問題があった。
【００１１】
又、この種の衣類を大量に処理するクリーニング工場では、裏当て材のない衣類Ａ中に裏当て材Ｄつき衣類Ａが混入している場合があり、その裏当て材Ｄつきであることに気づかずに公知の衣類整形供給装置で処理すると、該衣類Ａを破損してしまうという問題が発生する。
【００１２】
本願発明は、上記問題点に鑑み、上記した裏当て材つき衣類であっても支障なく整形でき且つその整形状態で後工程側（例えばプレス工程）側に供給し得るようにした衣類整形供給装置を提供することを目的としている。
【００１３】
【課題を解決するための手段】
本願発明は、上記課題を解決するための手段として次の構成を有している。尚、本願発明は、浴衣や寝巻のような衣類をきれいに整形した状態で例えばプレス機（又は折畳み機）側に供給する際に使用するものであり、さらに図１０及び図１１に示すような裏当て材つき衣類でも支障なく処理し得るようにしたものである。
【００１４】
本願発明の衣類整形供給装置は、整形すべき衣類を着せ掛けるための人型と、該人型を衣類着せ掛け位置となる下動位置と衣類移送装置側への衣類受け渡し位置となる上動位置との間で昇降せしめる人型昇降装置を備えている。
【００１５】
人型昇降装置は、人型を下動位置と上動位置の２位置のみで停止させるようにしたものでもよいが、該下動位置と上動位置の中間位置でも停止させるようにしたものが好ましい。尚、この中間位置は、人型に着せ掛けた衣類をきれいに整形するための整形作業位置となる。
【００１６】
人型は、衣類着せ掛け用の人型本体に、該人型本体の上部位置にあって上下動可能に設置され且つ整形すべき衣類の肩部を掛けるための肩掛材と、該肩掛材を所定高さ範囲で昇降せしめる肩掛材昇降装置と、人型本体の上部寄り左右各側部からそれぞれ人型本体の内外に出没可能に設置され且つ外方突出時に人型本体に着せ掛けた衣類の各袖を水平に広げた状態で支持できる左右の腕部材と、該各腕部材を人型本体の内外に出没させる腕部材出し入れ装置とをそれぞれ設けて構成している。
【００１７】
肩掛材昇降装置としては、例えばエアシリンダが使用可能である。又、この肩掛材昇降装置による肩掛材の昇降範囲は、下動位置では肩掛材の上面が外方に突出した各腕部材の上面と同高さになり、上動位置では人型に着せ掛けた衣類の裏当て材下辺部が、各腕部材が人型本体内から外方に突出作動する際の腕部材先端部の移動軌跡に衝合しない程度の高位置になり得るように設定している。そして、この肩掛材昇降装置は、腕部材出し入れ装置による各腕部材の外方突出前に肩掛材をその現在高さから所定高さだけ上動させることができ且つ各腕部材の外方突出後に肩掛材をその上動前の高さまで下動させるように作動する。
【００１８】
人型の設置位置の直上方位置には、図７〜図９に示す公知例と同様に、人型が上動位置まで上昇せしめられたときに該人型に整形された状態で着せ掛けられている衣類を整形された姿勢のままで保持する衣類保持装置が設置されている。尚、この衣類保持装置は、衣類を後工程（例えばプレス工程）側へ移送するための衣類移送装置の一部となるもので、衣類保持装置で受取った衣類を衣類移送装置により整形姿勢のままで後送し得るようになっている。
【００１９】
尚、本願発明の衣類整形供給装置を要約すれば、図７〜図９に示す公知の衣類整形供給装置において、肩掛材を人型本体に対して上下動可能に設けるとともに、該肩掛材を肩掛材昇降装置により所定高さ範囲で昇降せしめ得るようにしたものであり、その他の基本構成は、上記した公知（図７〜図９）のものとほぼ同様に構成されている。
【００２０】
本願の衣類整形供給装置は、次のように作動する。尚、処理すべき衣類としては、裏当て材のないものも使用できるが、本願の衣類整形供給装置における肩掛材昇降機能は裏当て材つき衣類において有効に機能するものである。まず、人型を最下動させた状態で、該人型に整形すべき衣類を着せ掛ける。この状態では、衣類の袖は垂れ下がっている。次に、肩掛材昇降装置を作動させて肩掛材を上動させるが、そのとき肩掛材とともに着せ掛けている衣類も持ち上げられる。このとき衣類の裏当て材下辺部は、次に作動する腕部材の外方突出時に該腕部材先端部が移動する軌跡より高位置まで持ち上げられている。次に、腕部材出し入れ装置によって各腕部材を外方に突出させると、該各腕部材の先端部が衣類の各袖内に侵入していき、該各袖を左右に広げる。このとき、各腕部材先端部は、裏当て材の側辺部の下方位置を移動し、従って該各腕部材６２が裏当て材に干渉することがない。その後、肩掛材昇降装置により肩掛材を下動させると、該肩掛材の上面と各腕部材の上面が同高さに位置するようになる。そして、人型が上下２位置のみで停止するものでは、この人型下動位置において手作業で衣類の整形を行い、又人型を中間位置で停止させ得るものでは該人型を中間位置まで上昇させてそこで衣類の整形を行う。次に、人型に着せ掛けた衣類をきれいに整形させた後、人型昇降装置により人型を最上動させると、衣類の肩部上縁及び各袖の上縁が衣類保持装置側に差し込まれて保持される。その後、各腕部材を人型本体内に格納させ、衣類保持装置を作動させて衣類を整形させたまま取り込むとともに、人型を元の位置まで下動させると、１つの衣類の処理が完了する。尚、各動作は、順次足踏みスイッチによって作動させるようにするとよい。又、この衣類整形供給装置では、裏当て材の付いていない衣類でも処理でき、従って裏当て材つき衣類と裏当て材のない衣類とが混入している場合でも支障なく処理できる。
【００２１】
【発明の実施の形態】
以下、図１〜図６を参照して本願実施形態の衣類整形供給装置を説明すると、この実施形態の衣類整形供給装置は、例えばクリーニング工場において洗濯済の多数枚の衣類（例えば浴衣、寝巻など）を順次整形した状態で次の工程（例えばプレス工程）へ供給するためのものである。又、この実施形態の衣類整形供給装置は、図１０及び図１１に示すような裏当て材Ｄつきの衣類Ａを整形状態で衣類移送装置１１側に供給するのに適したものである。
【００２２】
この実施形態の衣類整形供給装置は、図１に示すように、基台１上に人型２を人型昇降装置８により昇降させ得るようになっている。
【００２３】
人型２は、衣類着せ掛け用の人型本体３に、該人型本体の上部位置にあって整形すべき衣類Ａの肩部Ｃを掛ける肩掛材４と、該肩掛材４を所定高さ範囲で昇降せしめる肩掛材昇降装置５と、人型本体３の上部寄り左右各側部からそれぞれ人型本体の内外に出没可能に設置され且つ外方突出時に人型本体３に着せ掛けた衣類Ａの各袖Ｂ，Ｂを水平に広げた状態で支持できる左右の各腕部材６，６と、該各腕部材６，６を人型本体の内外に出没させる腕部材出し入れ装置７とをそれぞれ設けている。
【００２４】
人型本体３は、内部が中空で人の肩部から腰の位置までの範囲の高さを有する腕なしの胸像の形状に形成されている。又、人型本体３には、その下端からさらにかなりの長さ（例えば６０〜７０cm程度）だけ下方に突出する支柱３１が一体に取付けられている。
【００２５】
肩掛材４は、人の肩幅程度の左右長さで高さが７０mm程度で厚さが２〜３mm程度の薄板状の部材で形成されている。この肩掛材４には、衣類Ａの肩部Ｃを支持する肩掛部４１と、該肩掛部４１の下方に連続する脚部４２とを有している。そして、この肩掛材４は、人型本体３に対して、肩掛部４１が人型本体３の上部に突出する状態で脚部４２をガイド部材３５で上下動可能にガイドして設置している。
【００２６】
肩掛材昇降装置５には、エアシリンダが使用されている。この肩掛材昇降装置用のエアシリンダ５は、上記支柱３１の上部に取付けられている。尚、この肩掛材昇降装置用のエアシリンダ５は７０〜１００mm程度の伸縮ストロークを有している。
【００２７】
左右の各腕部材６，６は、細幅（２０〜３０mm程度）で適宜長さ（例えば６００〜７００mm程度）を有しさらに上記肩掛材４の肩掛部４１とほぼ同厚さ（２〜３mm程度）を有する棒状のものが採用されている。
【００２８】
前記人型本体３の内部には、左右の各腕部材６，６をそれぞれ出没自在にガイドするためのガイド板３２，３２が設けられている。又この各ガイド板３２，３２にはそれぞれ縦向き円弧状のガイド溝３３，３３が設けられている。この各ガイド溝３３，３３は、各腕部材６，６の基端部６１に取付けた一対のローラ６３，６３をそれぞれガイドしている。そして、各腕部材６，６の基端部６１，６１がそれぞれガイド溝３３，３３の最下端部に位置する状態では、該各腕部材６，６を人型本体３内に没入させ（衣類着せ掛け作業の邪魔にならない位置）、他方、該各腕部材６，６の基端部６１，６１がそれぞれガイド溝３３，３３の最上端部に位置する状態では、図４及び図５に示すように腕部材基端側の一部を残してその大部分が人型本体３の側部から水平方向外方に突出するようになっている。又各腕部材６，６の外方突出状態では、図５に示すように下動位置にある肩掛材４の肩掛部４１の高さと同高さに位置するようになっている。尚、この各腕部材６，６は、人型本体３の上部寄り左右側面に形成した開口から出没し得るようになっている。
【００２９】
各腕部材出し入れ装置７，７には、それぞれエアシリンダが採用されている。この各腕部材出し入れ装置（エアシリンダ）７，７は、そのチューブ側を前記支柱３１の下端部に連結し他方ロッド側を前記腕部材６の基端部６１に連結して取付けられている。そして、この各腕部材出し入れ装置（エアシリンダ）７，７を最縮小させた状態では、図１〜図３に示すように各腕部材６，６を人型本体３内に没入させ且つ該各エアシリンダ７，７を最伸長させた状態では図４〜図６に示すように各腕部材６，６を人型本体３の側部から外方に突出させるようになっている。
【００３０】
人型２は、人型本体３に固定した支柱３１部分が基台２上に設けられた箱状の保護ケース９にガイドされて、水平面内で回動不能状態で上下動可能なる如く支持されている。
【００３１】
人型昇降装置８は、この実施形態では２段階伸縮可能なエアシリンダが採用されている。該人型昇降装置（エアシリンダ）８の最縮小状態では人型２を図１〜図４に示すように下動位置に位置せしめ、該エアシリンダ８の中間伸長状態では人型２を図５に示すように上下中間位置に位置せしめ、さらに該エアシリンダ８の最伸長状態では人型２を図６に示すように最上動位置に位置せしめるようになっている。人型２が下動位置（図１〜図４）にあるときには、人型２の肩掛材４の上面高さが作業員の背の高さよりかなり低位置（地面からまでの高さが例えば１２５０mm程度）となり、又、人型２が上下中間位置（図５）にあるときには、該肩掛材４の上面高さが作業員のほぼ目の高さ位置（地面から肩掛材４上面までの高さが例えば１５５０mm程度）となり、さらに人型２が上動位置（図６）にあるときには、該肩掛材４の上面高さが作業員の背の高さよりかなり上方位置（地面から肩掛材４上面までの高さが例えば１８５０mm程度）となるようにそれぞれ設定されている。
【００３２】
人型２の設置位置の直上方位置には、該人型２が上動位置まで上昇せしめられたときに、図６に示すように人型２に着せ掛けられている衣類Ａの上端部Ｃを表裏両側から挟み込んで該衣類Ａを整形されたままの姿勢で保持することのできる衣類保持装置１２が設けられている。又、この衣類保持装置１２て保持された衣類Ａは、そのまま衣類移送装置によって後工程（例えばプレス工程）を移送されるようになっている。尚、この衣類保持装置１２及び衣類移送装置は、図７〜図９に示す公知例のものと同様に構成されており、詳しい説明は上記従来技術の項の説明を援用する。
【００３３】
次に、この実施形態の衣類整形供給装置は、順次足踏みスイッチを操作することによって次のように作動する。尚、処理すべき衣類Ａとしては、図１０及び図１１に示す裏当て材Ｄつきの衣類Ａを採用する。
【００３４】
まず、図２に示すように、人型２を最下動させた状態で、該人型２に整形すべき衣類Ａを着せ掛ける。この場合、人型２の後ろ側から衣類Ａの肩部Ｃを肩掛材４の肩掛部４１上に載せ掛ける。尚、この状態では、衣類Ａの袖Ｂ，Ｂは垂れ下がっている。次に、図３に示すように、肩掛材昇降装置５を作動させて肩掛材４を上動させるが、そのとき肩掛材４とともに着せ掛けている衣類Ａも持ち上げられる。このとき衣類の裏当て材Ｄは、次に作動する各腕部材６，６の外方突出時に該各腕部材先端部６２，６２が移動する軌跡Ｅ，Ｅより高位置まで持ち上げられている。次に、図４に示すように、腕部材出し入れ装置７，７によって各腕部材６，６を外方に突出させると、各腕部材先端部６２，６２は、裏当て材Ｄの各側辺部Ｄｂ，Ｄｂの下方位置を移動しながら衣類の各袖内に侵入していき、該各袖Ｂ，Ｂを左右に広げる。そのとき、各腕部材先端部６２，６２は、裏当て材Ｄに干渉しないので、裏当て材Ｄがあっても衣類Ａの生地を突き破ることがない。次に、図５に示すように、肩掛材昇降装置５により肩掛材４を下動させるとともに、人型昇降装置８を第１段伸長させる。この状態（図５）では、肩掛材４の肩掛部４１上面と各腕部材６，６の上面が同高さに位置するようになる。又、この中間高さ位置で手作業により衣類Ａの整形を行う。次に、人型２に着せ掛けた衣類Ａをきれいに整形させた後、図６に示すように人型昇降装置８により人型２を最上動させる。この状態（図６）では、衣類Ａ′の上縁Ｃ′（肩部上縁及び各袖の上縁）が衣類保持装置１２側に差し込まれて保持される。その後、衣類保持装置１２を少しだけ作動させて衣類Ａ′を人型２から少し浮かせ、その状態で各腕部材６，６を人型本体３内に格納させた後、衣類保持装置１２を作動させて衣類Ａ′を整形させたまま衣類移送装置側に取り込むとともに、人型２を元の位置まで下動させると、１つの衣類の処理が完了する。尚、順次同様にして次の衣類Ａの整形・供給作業を行う。
【００３５】
又、この衣類整形供給装置では、裏当て材Ｄの付いていない衣類でも処理でき、従って裏当て材つき衣類と裏当て材のない衣類とが混入している場合でも支障なく処理できる。尚、裏当て材のない衣類ばかりを処理する場合には、肩掛材昇降装置５を作動させずに、肩掛材４を下動位置に維持させた状態で行うことができる。
【００３６】
【発明の効果】
本願発明の衣類整形供給装置の効果を説明すると、この衣類整形供給装置は、衣類着せ掛け用の人型本体３に、該人型本体の上部位置にあって整形すべき衣類Ａの肩部Ｃを掛ける肩掛材４と、人型本体３の上部寄り左右各側部からそれぞれ人型本体の内外に出没可能に設置され且つ外方突出時に人型本体３に着せ掛けた衣類Ａの各袖Ｂ，Ｂを水平に広げた状態で支持できる左右の各腕部材６，６と、該各腕部材６，６を人型本体の内外に出没させる腕部材出し入れ装置７とをそれぞれ設けて人型２を構成し、該人型２を衣類着せ掛け位置となる下動位置と衣類移送装置１１側への衣類受け渡し位置となる上動位置との間で昇降せしめる人型昇降装置８を備えたものにおいて、肩掛材４を人型本体３に対して上下動可能に設けるとともに、肩掛材４を肩掛材昇降装置５により所定高さ範囲で昇降せしめ得るようにしている。尚、肩掛材４の昇降高さは、該肩掛材４に着せ掛けられる衣類Ａの裏当て材Ｄを、各腕部材６，６の先端部６２，６２が外方に突出するときの移動軌跡Ｅより高位置まで持ち上げ得る範囲に設定されている。
【００３７】
従って、本願発明の衣類整形供給装置を使用すると、裏当て材Ｄつきの衣類Ａであっても、各腕部材６，６を該裏当て材Ｄに干渉することく作動させることができ、該腕部材先端部６２，６２で衣類を突き破るというトラブルを未然に解消できるという効果がある。又、この衣類整形供給装置を使用すると、裏当て材Ｄのある衣類Ａと裏当て材のない衣類とが混入している場合でも、人型２に着せ掛ける際に、裏当て材Ｄのあるものとないものとを注意して選別する必要がなく、その選別のための注意力が不要となる。
【図面の簡単な説明】
【図１】本願実施形態の衣類整形供給装置の断面図である。
【図２】図１の衣類整形供給装置の使用初期状態の正面図である。
【図３】図２からの状態変化図である。
【図４】図３からの状態変化図である。
【図５】図４からの状態変化図である。
【図６】図５からの状態変化図である。
【図７】公知の衣類整形供給装置の使用初期状態の正面図である。
【図８】図７の側面図である。
【図９】図７からの状態変化図である。
【図１０】本願の衣類整形供給装置で処理すべき裏当て材つき衣類の説明図である。
【図１１】図１０のXI−XI断面図である。
【符号の説明】
１は基台、２は人型、３は人型本体、４は肩掛材、５は肩掛材昇降装置（エアシリンダ）、６は腕部材、７は腕部材出し入れ装置（エアシリンダ）、８は人型昇降装置（エアシリンダ）、１２は衣類保持装置、４１は肩掛部、６２は腕部材先端部、Ａは衣類、Ｄは裏当て材である。
【図１】
0004260291.tif 000002
【図２】
0004260291.tif 000003
【図３】
0004260291.tif 000004
【図４】
0004260291.tif 000005
【図５】
0004260291.tif 000006
【図６】
0004260291.tif 000007
【図７】
0004260291.tif 000008
【図８】
0004260291.tif 000009
【図９】
0004260291.tif 000010
【図１０】
0004260291.tif 000011
【図１１】
0004260291.tif 000012